(57)【要約】【課題】確実な位置決め効果を発揮することが可能な注入口形成材を提供すること。【解決手段】コンクリート逆打工法において、打継部に充填材を注入する為の注入口形成材であって、芯材と、該芯材の側周を被覆するチューブと、からなる、仮設体と、前記仮設体を打設コンクリートに位置決めする固定ピンと、を少なくとも含み、前記固定ピンによって前記仮設体を位置決めした状態から、前記芯材、チューブを順に抜き取ることにより、コンクリート注入口を形成することを特徴とする。【選択図】図１
0003175104.tif 000002
【実用新案登録請求の範囲】
【請求項１】
コンクリート逆打工法において、打継部に充填材を注入する為の注入口形成材であって、芯材と、該芯材の側周を被覆するチューブと、からなる、仮設体と、
前記仮設体を打設コンクリートに位置決めする固定ピンと、を少なくとも含み、
前記固定ピンによって前記仮設体を位置決めした状態から、前記芯材、チューブを順に抜き取ることにより、充填材の注入口を形成することを特徴とする、
注入口形成材。
【請求項２】
前記固定ピンが、
前記芯材の底部を押さえる、押さえ部と、
前記押さえ部の一端から延出して、コンクリートに差し込む、差込部と、
前記押さえ部の他端から延出して、前記芯材の側面を押さえる、爪部と、を少なくとも備えることを特徴とする、
請求項１に記載の注入口形成材。
【請求項３】
前記固定ピンが、更に、前記差込部の下端から外側に張り出した押圧部を備えることを特徴とする、請求項１又は２に記載の注入口形成材。
【請求項４】
前記固定ピンが、更に、差込部の両側縁から延出した鉤部を備えることを特徴とする、請求項１乃至３のうち何れか１項に記載の注入口形成材。
【考案の詳細な説明】
【技術分野】
【０００１】
本考案は、コンクリート構造物を構築するコンクリート逆打工法において、打継部への充填材の注入口を形成するための注入口形成材に関する。
【背景技術】
【０００２】
コンクリート逆打工法は、コンクリート構造物を上から下に向かって構築していく工法である。
先打ちコンクリート（上部側）の底面と、後打ちコンクリート（下部側）の上面との間の打継部には隙間が発生するため、充填材を注入して隙間を解消する必要がある。
【０００３】
前記充填材を注入する為の注入口を形成する方法として、以下の特許文献１に記載の注入口形成材が知られている。
特許文献１に記載の注入口形成材は、コンクリートに対して剥離性のあるチューブと、該チューブ内に抜き差し可能に挿入される芯材と、前記チューブの外面に接着剤層を設けている。
この注入口形成材を、先打ちコンクリートの底面に貼り付けておき、後打ちコンクリートの凝固後に、芯材、チューブの順に抜き取ることで、注入口形成材が存していた箇所を充填材の注入口として用いている。
【先行技術文献】
【特許文献】
【０００４】
【特許文献１】特許第３０６９０６８号公報
【考案の概要】
【考案が解決しようとする課題】
【０００５】
しかし、前記した従来の注入口形成材は、前記チューブの外面に接着剤層を別途設ける加工が必要となり、専用品を製造しなければならず、製造コストの低廉化に限界が生じる、という問題がある。
また、接着剤層の劣化などにより所望の接着効果が得られないと、芯材の脱落などが起こりうる為、品質管理に注意を要する場合もある。
【０００６】
したがって、本考案は、低廉な製造コストでありながら、確実な位置決め効果を発揮することが可能な注入口形成材を提供することを目的の一つとするものである。
【課題を解決するための手段】
【０００７】
本考案は、コンクリート逆打工法において、打継部に充填材を注入する為の注入口形成材であって、芯材と、該芯材の側周を被覆するチューブと、からなる、仮設体と、前記仮設体を打設コンクリートに位置決めする固定ピンと、を少なくとも含み、前記固定ピンによって前記仮設体を位置決めした状態から、前記芯材、チューブを順に抜き取ることにより、充填材の注入口を形成することを特徴とするものである。
前記固定ピンは、前記芯材の底部を押さえる、押さえ部と、前記押さえ部の一端から延出して、コンクリートに差し込む、差込部と、前記押さえ部の他端から延出して、前記芯材の側面を押さえる、爪部と、を少なくとも備えて構成することができる。
また、前記固定ピンは、更に、前記差込部の下端から外側に張り出した押圧部を備えてもよい。
また、前記固定ピンは、更に、差込部の両側縁から延出した鉤部を備えてもよい。
【考案の効果】
【０００８】
本考案は、以下に記載する効果のうち、少なくとも何れか一つの効果を少なくとも奏する。
（１）チューブに接着剤層を設けるなどの加工が不要であり、既存製品の流用がしやすく、製造コストの低廉化に寄与する。
（２）接着剤の劣化等を考慮する必要が無く、仮設体の位置決め効果が確実に得られる為、信頼性が高い。
（３）固定ピンの押さえ部、差込部及び爪部でもって、仮設体の両側部及び底部の少なくとも３点を押さえるため、仮設体をコンクリートに確実に固定することができる。
（４）固定ピンの押圧部でもって、固定ピンを上方へとより強く押し込むことができ、仮設体の位置決め効果が確実に得られる。
（５）固定ピンの鉤部でもって、差し込んだ後の固定ピンが下方へと抜けにくくなる。
【図面の簡単な説明】
【０００９】
【図１】本考案の注入口形成材の第一実施例を示す概略断面図。
【図２】本考案の注入口形成材の使用方法を示す概略正面図。
【図３】本考案の固定ピンのその他の実施例を示す斜視図。
【考案を実施するための形態】
【００１０】
以下、図面を参照しながら本考案の実施の形態について説明する。
【実施例】
【００１１】
＜１＞全体構成
図１は、本考案の注入口形成材の第一実施例を示す概略断面図である。
本考案に係る注入口形成材Ａは、コンクリート逆打工法において、先打ちコンクリートＢと後打ちコンクリートＣの間に生ずる打継部Ｄの解消を目的として、該打継部Ｄに充填材を注入するための注入口を形成する為の部材である。
本考案に係る注入口形成材Ａは、仮設体１と、該仮設体１を先打ちコンクリートＢの底面に固定する為の固定ピン２を少なくとも含んで構成する。
【００１２】
＜２＞仮設体
仮設体１は、先打ちコンクリートＢと後打ちコンクリートＣとの間の打継部Ｄに、注入口を形成するための部材である。
仮設体１は、芯材１１と、該芯材１１の側周を被覆するチューブ１２とによって構成する。
【００１３】
＜２．１＞芯材
芯材１１は、仮設体１の形状を保持するための部材である。
［断面形状］
芯材１１の断面形状は、円形、矩形、その他の形状を適宜選択することができるが、先打ちコンクリートＢの底面との接触面積が大きい形状、例えば矩形形状を呈していることが望ましい。
［素材］
芯材１１の素材は、発泡合成樹脂等、周知の材料を適宜選択して形成する。なお前記チューブ１２との間で抜け取りやすい素材を選択する事が望ましい。
【００１４】
＜２．２＞チューブ
チューブ１２は、仮設体１の撤去を容易にするための部材である。
［構成］
チューブ１２は、芯材１１の側周を被覆するよう構成する。
当該構成により、後打ちコンクリートＤの打設後に仮設体１を撤去する際、まず芯材１１を抜き取ることにより、チューブ１２の内部に空洞を形成することができる。前記空洞に、チューブ１２を抜き取る為の治具を差し込むことで、チューブの撤去をより簡便に行うことができる。
［素材］
チューブ１２は、合成樹脂等、周知の材料を適宜選択して形成する。特にコンクリートと剥離性の高い部材であることが望ましい。
【００１５】
＜３＞固定ピン
固定ピン２は、前記仮設体１を先打ちコンクリートＢ上に固定するための部材である。
［形状例］
固定ピン２は、仮設体１を、仮設体１の外側から押さえつつ、仮設体１と共に先打ちコンクリートＢに一体固定できるものであれば、如何なる形状でも良いが、例えば、以下の様な構成とすることができる。
【００１６】
固定ピン２は、前記芯材１１の底部を押さえる、押さえ部２１と、前記押さえ部２１の一端から延出して、先打ちコンクリートＢに差し込む、差込部２２と、前記押さえ部２１の他端から延出して、前記芯材１１の側面を押さえる、爪部２３と、を備えるように形成することができる。本実施例では、差込部２２と爪部２３とで、仮設体１の両側を挟むように位置決めされる。
【００１７】
なお、押さえ部２１、差込部２２、爪部２３によって構成する固定ピン２の全体形状は、仮設体１の断面形状に応じて、略Ｌ字型、略Ｕ字型、略コ字型、略Ｊ字型などの形状を採用することができる。
【００１８】
［素材］
固定ピン２の素材は、プラスチックなど、周知の材料を適宜選択して形成する。特に、固定ピン２は打継部Ｅへの充填材の充填によってそのまま埋められるため、低コストで且つコンクリートに影響を与えない材料を選択することが望ましい。
【００１９】
＜４＞使用方法
図２は、本考案の注入口形成材の使用方法を示す概略正面図である。
以下、各工程毎に説明する。
【００２０】
［仮設体の位置決め］（図２（ａ））
まず、仮設体１の設置本数にあわせて、先打ちコンクリートＢの底面から削孔して、複数の挿入孔Ｂ１を形成する。
仮設体を１先打ちコンクリートＢの底面の所定位置に配した後、下方から固定ピン２を前記挿入孔Ｂ１に差し込んで、仮設体１を順次固定する。
また、充填材を注入する為の注入ホースＣを、適宜打継部内へと配置する。
注入ホースＣの固定方法が特に限定されないが、本考案の固定ピン２を用いても良い。
【００２１】
［後打ちコンクリートの打設］（図２（ｂ））
次に、後打ちコンクリートＤを構築する。
後打ちコンクリートＤは、なるべく先打ちコンクリートＢの底面に達するように打設することが一般的であるが、本図では、説明の便宜上、打継部Ｅの間隙を大きく表示して説明する。
後打ちコンクリートＤの打設により、前記注入口形成材Ａの一部或いは全部は、後打ちコンクリートＤ内に埋め込まれることにある。
【００２２】
［仮設体の撤去］（図２（ｃ））
後打ちコンクリートＤが硬化したことを確認したのち、注入口形成材Ａのうち、仮設体１を撤去する。
仮設体１の撤去は、芯材１１、チューブ１２の順に行う。
仮設体１が抜けた箇所は空となり注入口Ｆとなる。
【００２３】
［閉塞部の構築］（図２（ｄ））
注入口Ｆから充填材を注入して、閉塞部Ｈを構築する。
このとき、事前に注入口Ｆからマイクロカメラを挿入し、打継部Ｅの状態（間隙の大きさ、コンクリートの状態）を確認して、周知の充填材から適切な充填材を選択することができる。
また、所定間隔を設けて構築された閉塞部Ｇの間の打継部Ｅは、ある程度密閉された空間を呈することとなる。
【００２４】
［打継部の充填］（図２（ｅ））
最後に、設置済みの注入ホースＣから、充填材を充填し、打継部Ｅを解消する。
前記した注入口Ｇに注入する充填材と、注入ホースＣでもって打継部Ｅに注入する充填材は、同じ材料でも良いし、異なる材料であっても良い。
前記したとおり、閉塞部Ｈの間の打継部Ｅは、ある程度密閉された空間を呈するため、充填材が打継部Ｅに密に充填されることとなる。
【００２５】
＜５＞その他の実施例
図３は、本考案の固定ピンのその他の実施例を示す斜視図である。
本考案に用いる固定ピン２は、前記した構成に加えて以下の構成としてもよい。
【００２６】
［押圧部］
本考案に用いる固定ピン２は、更に差込部２１の下端から外側に張り出した押圧部２４を設けることができる。
本構成によれば、固定ピン２を先打ちコンクリートＢに挿入する際に押圧部２４に指をかけて差し込めるため、より簡便且つ確実な固定作業が可能となる。
【００２７】
［鉤部］
また、本考案に用いる固定ピン２は、更に差込部２１の両側縁から、鉤部２５を設けることができる。
鉤部の延出方向は、斜め下方向とすることが望ましい。
本構成によれば、先打ちコンクリートＢから固定ピン２が抜けにくくなり、確実な固定作業が可能となる。
【符号の説明】
【００２８】
Ａ    注入口形成材
１    仮設体
１１  芯材
１２  チューブ
２    固定ピン
２１  押さえ部
２２  差込部
２３  爪部
２４  押圧部
２５  鉤部
Ｂ    先打ちコンクリート
Ｂ１  挿入孔
Ｃ    注入ホース
Ｄ    後打ちコンクリート
Ｅ    打継部
Ｆ    注入口
Ｇ    閉塞部
Ｈ    充填部
【図１】
0003175104.tif 000003
【図２】
0003175104.tif 000004
【図３】
0003175104.tif 000005